(57)【要約】【課題】熱媒体の循環による浴室暖房機能と、浴槽への注湯機能とを有する給湯装置において、入浴準備が完了した旨を適切に報知する。【解決手段】給湯装置１０は、温水を出力する給湯回路と、給湯回路からの温水を浴槽に導くための注湯回路と、浴槽内の湯水を加熱循環するための風呂追焚回路と、給湯装置１０に接続される浴室暖房機２０に対して熱媒体を循環供給するための浴室暖房回路と、コントローラ１２とを備える。コントローラ１２は、設定風呂温度で設定水位または設定湯量となるように浴槽の湯水を制御する注湯運転および、浴室暖房回路による浴室暖房運転を制御するとともに、注湯運転および浴室暖房運転が完了した旨を報知するように構成される。注湯運転および浴室暖房運転の同時実行時において、コントローラ１２は、注湯運転が浴室暖房運転よりも先に完了した場合には、暖房運転の完了を待つことなく注湯運転が完了した旨を報知する。【選択図】図１
2020176813.tif 000002
【特許請求の範囲】
【請求項１】
給湯装置であって、
温水を出力する給湯回路と、
前記給湯回路からの温水を浴槽に導くための注湯回路と、
前記浴槽内の湯水を加熱循環するための風呂追焚回路と、
前記給湯装置に接続される浴室暖房機に対して熱媒体を循環供給するための浴室暖房回路と、
前記注湯回路および前記風呂追焚回路により設定風呂温度で設定水位または設定湯量となるように前記浴槽の湯水を制御する注湯運転と、前記浴室暖房回路による浴室暖房運転とを制御するとともに、前記注湯運転および前記浴室暖房運転が完了した旨を報知するコントローラとを備え、
前記注湯運転および前記浴室暖房運転の同時実行時において、前記コントローラは、前記注湯運転が前記浴室暖房運転よりも先に完了した場合には、前記浴室暖房運転の完了を待つことなく前記注湯運転が完了した旨を報知する、給湯装置。
【請求項２】
前記注湯運転および前記浴室暖房運転の同時実行時において、前記コントローラは、前記浴室暖房運転が前記注湯運転よりも先に完了した場合には、前記注湯運転の完了を待って前記浴室暖房運転が完了した旨を報知する、請求項１に記載の給湯装置。
【請求項３】
前記注湯運転が完了した旨の報知は、前記注湯運転が完了することを予告する報知を含む、請求項１または２に記載の給湯装置。
【請求項４】
前記コントローラはさらに、前記風呂追焚回路による風呂追焚運転を制御するとともに、前記風呂追焚運転が完了した旨を報知するように構成され、
前記風呂追焚運転および前記浴室暖房運転の同時実行時において、前記コントローラは、前記風呂追焚運転が前記浴室暖房運転よりも先に完了した場合には、前記浴室暖房運転の完了を待つことなく前記風呂追焚運転が完了した旨を報知する、請求項１から３のいずれか１項に記載の給湯装置。
【請求項５】
前記風呂追焚運転および前記浴室暖房運転の同時実行時において、前記コントローラは、前記浴室暖房運転が前記風呂追焚運転よりも先に完了した場合には、前記風呂追焚運転の完了を待って前記浴室暖房運転が完了した旨を報知する、請求項４に記載の給湯装置。
【請求項６】
前記風呂追焚運転が完了した旨の報知は、前記風呂追焚運転が完了することを予告する報知を含む、請求項４または５に記載の給湯装置。
【請求項７】
前記コントローラは、前記給湯装置に対するユーザ操作を受け付ける操作端末と通信可能に接続され、前記操作端末を経由して前記報知を行なう、請求項１から６のいずれか１項に記載の給湯装置。
【請求項８】
前記コントローラは、前記浴室内の温度を検知する温度センサの出力を受信可能に構成され、
前記コントローラは、前記操作端末が前記注湯運転の実行指示を受け付けた場合において、前記温度センサにより検知される前記浴室内の温度が閾値温度未満であるときには、前記浴室暖房運転の実行要否を問い合わせる旨を報知する、請求項７に記載の給湯装置。
【請求項９】
前記温度センサは、前記浴室内に設置された前記操作端末に内蔵される、請求項８に記載の給湯装置。
【請求項１０】
前記コントローラは、前記浴室内の温度を検知する温度センサの出力を受信可能に構成され、
前記コントローラは、前記温度センサの出力を用いて前記浴室暖房運転を制御するとともに、前記温度センサにより検知される前記浴室内の温度に基づいて、前記浴室暖房運転の完了を判定する、請求項１から８のいずれか１項に記載の給湯装置。
【請求項１１】
前記温度センサは、前記浴室暖房機に内蔵される、請求項１０に記載の給湯装置。
【発明の詳細な説明】
【技術分野】
【０００１】
この発明は、給湯装置に関する。
【背景技術】
【０００２】
特開２００２−２７６９６６号公報（特許文献１）には、風呂の湯張り運転と連動して浴室の暖房運転を行なう湯張り暖房連動システムが開示される。特許文献１に記載される湯張り暖房連動システムでは、湯張り運転および暖房運転の遅い方の運転が完了したときに、入浴可能な状態であることを浴室内報知ブザーおよび台所報知ブザーによって報知される。この報知を受けたときには浴室内が暖められているため、ユーザは寒さを感じることなく入浴することができる。
【０００３】
特開２００２−７１２１２号公報（特許文献２）においても、浴槽に対する自動湯張り機能と浴室の暖房機能とを備え、湯張り運転と同時、もしくは湯張り運転中に浴室の暖房運転を開始した場合には、湯張り運転が完了し、かつ、暖房運転が一定条件を満たした時点で、入浴準備の完了の旨を報知するように構成された風呂給湯暖房装置が開示される。
【先行技術文献】
【特許文献】
【０００４】
【特許文献１】特開２００２−２７６９６６号公報
【特許文献２】特開２００２−７１２１２号公報
【発明の概要】
【発明が解決しようとする課題】
【０００５】
しかしながら、特許文献１および２の構成においては、湯張り運転が完了しても浴室暖房が未だ完了していない場合には、入浴準備が完了した旨が報知されないため、湯張り完了後速やかに入浴したいユーザにとっては利便性が損なわれることが懸念される。したがって、ユーザの利便性を保ちつつ、ユーザの快適な入浴をサポートするためには、より適切な報知が求められる。
【０００６】
本発明はこのような問題点を解決するためになされたものであって、本発明の目的は、熱媒体の循環による浴室暖房機能と、浴槽への注湯機能とを有する給湯装置において、入浴準備が完了した旨を適切に報知することである。
【課題を解決するための手段】
【０００７】
本発明のある局面では、給湯装置は、温水を出力する給湯回路と、給湯回路からの温水を浴槽に導くための注湯回路と、給湯装置に接続される浴室暖房機に対して熱媒体を循環供給するための浴室暖房回路と、コントローラとを備える。コントローラは、注湯回路および前記風呂追焚回路により設定風呂温度で設定水位または設定湯量となるように浴槽の湯水を制御する注湯運転と、浴室暖房回路による浴室暖房運転とを制御する。また、コントローラは、注湯運転および浴室暖房運転が完了した旨を報知する。注湯運転および浴室暖房運転の同時実行時において、コントローラは、注湯運転が浴室暖房運転よりも先に完了した場合には、暖房運転の完了を待つことなく注湯運転が完了した旨を報知する。
【発明の効果】
【０００８】
本発明によれば、熱媒体の循環による浴室暖房機能と、浴槽への注湯機能とを有する給湯装置において、入浴準備が完了した旨を適切に報知することができる。
【図面の簡単な説明】
【０００９】
【図１】実施の形態に係る給湯装置が適用される給湯システムの全体構成を示すブロック図である。
【図２】浴室暖房機の内部の構成を部分的に示す図である。
【図３】給湯システムのハードウェア構成を示すブロック図である。
【図４】注湯および浴室暖房の同時運転時における報知処理を説明するフローチャートである。
【図５】風呂追焚および浴室暖房の同時運転時における報知処理を説明するフローチャートである。
【発明を実施するための形態】
【００１０】
以下に本発明の実施の形態について図面を参照して詳細に説明する。なお以下では図中の同一または相当部分には同一符号を付してその説明は原則的に繰返さないものとする。
【００１１】
［給湯システムの構成］
図１は、実施の形態に係る給湯装置が適用される給湯システムの全体構成を示すブロック図である。図１には、実施の形態に係る給湯システムが適用される浴室１００の内部および浴室１００の外部の構成が模式的に示されている。
【００１２】
浴室１００内部では、床面に浴槽９０が設置され、浴槽９０より上方の壁面に浴室リモコン４０が設置されている。浴室１００の天井側の壁面には、浴室換気乾燥暖房機２０が設置されている。なお、以下、浴室換気乾燥暖房機２０は「浴室暖房機２０」と省略して表記される。
【００１３】
図１を参照して、実施の形態に係る給湯システムは、給湯装置１０と、浴室暖房機２０と、循環配管２４，９２とを備える。
【００１４】
給湯装置１０は、浴室１００の外部（屋外または屋内）に設置されており、浴室１００内の浴槽９０および浴室暖房機２０と、一対で１組の循環配管９２，２４を介してそれぞれ接続されている。
【００１５】
浴槽９０には、循環配管９２を経由して、給湯装置１０から湯張りのための注湯が行なわれる。また、浴槽９０と給湯装置１０との間で、風呂追い焚きのために、湯水が循環されて加熱される。
【００１６】
浴室暖房機２０には、給湯装置１０から循環配管２４を経由して、所定温度（たとえば８０℃）の熱媒体が供給される。熱交換器２０５（図２参照）は、浴室暖房機２０内の循環配管２４上に設けられている。熱媒体が給湯装置１０において加熱され、循環配管２４内で循環されることにより、熱交換器２０５が加熱される。
【００１７】
給湯装置１０は、給湯機能、浴室暖房機能、風呂追焚機能、および注湯機能を有する。各機能について、簡単に説明する。
【００１８】
給湯機能は、外部から導入された水道水などの水を、給湯装置１０内の熱交換器によって加熱する。具体的には、給湯装置１０は、バーナを有する。給湯装置１０内に導入された水は、熱交換器を通過する間にバーナの燃焼熱によって給湯設定温度まで加熱されて、出力される。加熱された湯水は、たとえば給湯栓に供給される。
【００１９】
注湯機能は、浴槽９０に湯水を張る。注湯機能は、外部から導入された水道水などの水を、給湯機能と同様に熱交換器によって加熱した後、注湯弁の開閉切換制御により循環配管９２を経由して浴槽９０へ供給する。
【００２０】
風呂追焚機能は、循環配管９２を経由して、浴槽９０内の湯水を浴槽９０と給湯装置１０との間で循環させる、浴槽９０内の湯水は、給湯装置１０内の液−液熱交換器で加熱されて、浴槽９０へ戻される。
【００２１】
浴室暖房機能は、浴室暖房機２０の熱交換器２０５（図２参照）での放熱により低温になった熱媒体を、循環配管２４を経由して給湯装置１０へ戻す。給湯装置１０内の熱交換器を通過する間にバーナの燃焼熱によって熱媒体を加熱して、熱交換器２０５に戻す。さらに、浴室暖房機２０は、ファン２０６（図２参照）を回転させる。これにより、熱交換器２０５周辺の加熱された空気が、温風として吹き出し口２１を通じて浴室１００へ供給される。給湯装置１０には、熱媒体を循環配管２４内で循環させるためのポンプが設けられる。
【００２２】
給湯システムは、ユーザからの操作を受け付けるための台所リモコン３０、浴室リモコン４０、サブリモコン５０および浴室暖房リモコン８０と、通信アダプタ６０と、無線ＬＡＮ（Local  Area  Network）ルータ７０とをさらに備える。
【００２３】
台所リモコン３０、浴室リモコン４０およびサブリモコン５０は、給湯機能、風呂追焚機能、注湯機能および浴室暖房機能の少なくとも１つについて、ユーザ指示の入力を受け付けるとともに、これらの機能についての情報を含む種々の情報を表示する。
【００２４】
具体的には、台所リモコン３０は、浴室１００の外部であって、たとえば台所の壁面に設置される。サブリモコン５０は、浴室１００の外部であって、たとえば居室の壁面に設置される。台所リモコン３０、浴室リモコン４０およびサブリモコン５０の各々は、表示部、操作部および音声出力部を有する。表示部および音声出力部は「報知部」を構成する。操作部は、給湯装置１０を運転可能状態とするためのスイッチ（たとえば、運転ＳＷ）、注湯機能を実行させるためのスイッチ（たとえば、風呂自動ＳＷ、足し湯ＳＷ、足し水ＳＷ）、風呂追焚機能を実行させるためのスイッチ（たとえば、追焚ＳＷ）、および浴室暖房機能を実行させるためのスイッチ（たとえば、浴室暖房ＳＷ）の少なくとも１つを含む。台所リモコン３０、浴室リモコン４０およびサブリモコン５０は「操作端末」の一実施例に対応する。
【００２５】
浴室暖房リモコン８０は、浴室１００の外部であって、たとえば脱衣場の壁面に設置される。浴室暖房リモコン８０は、浴室暖房機能について、ユーザ指示の入力を受け付けるとともに、この機能についての情報を含む種々の情報を表示する。浴室暖房リモコン８０は、表示部、操作部および音声出力部を有する。表示部および音声出力部は「報知部」を構成する。操作部は浴室暖房機能を実行させるためのスイッチ（浴室暖房ＳＷ）を含む。浴室暖房リモコン８０は「操作端末」の一実施例に対応する。
【００２６】
給湯装置１０は、給湯機能、浴室暖房機能、追焚機能、注湯機能における給湯システムの動作を制御するためのコントローラ１２を有する。コントローラ１２は、台所リモコン３０、浴室リモコン４０、サブリモコン５０および浴室暖房機２０と双方向に通信可能に接続される。
【００２７】
図１の例では、コントローラ１２は、通信線３２を介して台所リモコン３０と双方向に通信可能に接続され、通信線５２を介してサブリモコン５０と双方向に通信可能に接続され、通信線４２を介して浴室リモコン４０と双方向に通信可能に接続される。通信線３２，４２，５２は、たとえば２心通信線である。なお、コントローラ１２とリモコン３０，４０，５０の各々との間の通信は、公知のいかなる規格に従ったものであってもよく、また、有線であっても無線であってもよい。
【００２８】
コントローラ１２は、通信線２６を介して浴室暖房機２０の各部の動作を制御するためのコントローラ２２と双方向に通信可能に接続される。コントローラ１２とコントローラ２２との間の通信は、公知のいかなる規格に従ったものであってもよく、また、有線であっても無線であってもよい。浴室暖房機２０のコントローラ２２は、通信線８２を介して浴室暖房リモコン８０と双方向に通信可能に接続される。通信線８２は、たとえば２心通信線である。なお、コントローラ２２と浴室暖房リモコン８０との間の通信は、公知のいかなる規格に従ったものであってもよく、また、有線であっても無線であってもよい。
【００２９】
通信アダプタ６０は、通信線３２を介してコントローラ１２と接続される。通信アダプタ６０は、屋外（たとえば住宅の外壁の周辺またはガレージなど）に設置することができる。通信アダプタ６０は、屋内に配置された無線ＬＡＮルータ７０と通信接続される。ＬＡＮルータは、所定の通信規格に従う通信ケーブルによって通信アダプタと通信接続される有線ＬＡＮルータであってもよい。
【００３０】
無線ＬＡＮルータ７０は、通信網の代表例であるインターネットに接続されている。これにより、通信アダプタ６０は、無線ＬＡＮルータ７０を経由して、インターネットに接続されたスマートフォン７５をはじめとする外部機器との間で双方向にデータを送受信することができる。したがって、スマートフォン７５は、通信アダプタ６０から給湯システムの運転状態を示す情報を取得することができる。
【００３１】
また、スマートフォン７５は、ユーザからの給湯機能、浴室暖房機能、風呂追焚機能および注湯機能に関する運転指令を受け付けることができる。スマートフォン７５が受け付けた運転指令は、通信アダプタ６０を経由して給湯装置１０のコントローラ１２に転送される。コントローラ１２は、転送された運転指令に従って、給湯装置１０および浴室暖房機２０の動作を制御する。これによると、ユーザは、たとえば外出先からスマートフォン７５を用いて、給湯システムを遠隔操作することができる。スマートフォン７５は「操作端末」の一実施例に対応する。
【００３２】
［浴室暖房機の構成］
図２は、浴室暖房機２０の内部の構成を部分的に示す図である。
【００３３】
図２を参照して、浴室暖房機２０は、熱動弁２０４と、熱交換器２０５と、ファン２０６と、風向板２０３と、浴室温度センサ２１０と、コントローラ２２とを含む。
【００３４】
熱交換器２０５には熱媒体が供給される。熱動弁２０４は、熱媒体の流路である循環配管２４と熱交換器２０５との接続部分を開閉する。
【００３５】
ファン２０６は、回転することにより、熱交換器２０５によって加熱された空気（熱交換器２０５周辺の空気）を、吹き出し口２１を介して排出する。これにより、浴室１００に暖気が送られる。風向板２０３は、吹き出し口２１の内側に設けられ、浴室１００に送られる暖気の向きを変更可能に構成される。
【００３６】
浴室温度センサ２１０は、浴室１００内の温度（以下、「浴室温度」とも称する）を検知し、検知した浴室温度を示す信号をコントローラ２２へ出力する。なお、浴室リモコン４０の内部にも浴室１００内の温度を検知する温度センサ４４（図３参照）が設けられている場合、温度センサ４４が浴室温度センサとして利用されてもよい。
【００３７】
コントローラ２２は、給湯装置１０のコントローラ１２および浴室暖房リモコン８０と双方向に通信可能に接続される。コントローラ２２は、コントローラ１２からの浴室暖房機能についての運転指令および浴室暖房リモコン８０からのユーザの入力設定操作に基づき、浴室暖房機２０がユーザ指示に従って運転されるように、コントローラ１２と協働して浴室暖房機２０の各部の動作を制御する。浴室暖房機２０の動作については後述する。
【００３８】
［給湯システムのハードウェア構成］
図３は、給湯システムのハードウェア構成を示すブロック図である。
【００３９】
図３を参照して、給湯装置１０のコントローラ１２は、ＣＰＵ（Central  Processing  Unit）１２０と、メモリ１２２と、タイマ１２４と、入力装置１２８と、出力装置１３０と、インターフェイス１２６とを含む。
【００４０】
ＣＰＵ１２０は、メモリ１２２に格納されたプログラムを実行することにより、給湯システム（給湯装置１０および浴室暖房機２０）の動作を制御する。ＣＰＵ１２０は、給湯システムの制御において、タイマ１２４が計時する時刻を利用してもよい。
【００４１】
入力装置１２８は、たとえばスイッチであり、コントローラ１２への情報の入力を受け付ける。入力装置１２８は、入力された情報をＣＰＵ１２０へ出力する。出力装置１３０は、たとえば表示装置および音声出力回路である。
【００４２】
ＣＰＵ１２０は、インターフェイス１２６を介して、給湯システム内の他の機器と通信する。具体的には、ＣＰＵ１２０は、インターフェイス１２６を介して、台所リモコン３０、サブリモコン５０、通信アダプタ６０、浴室リモコン４０および浴室暖房機２０のコントローラ２２との間で情報をやり取りする。
【００４３】
図３では、給湯システムのうち、給湯機能を実現する部分が給湯回路１１０として示され、注湯機能を実現する部分が注湯回路１１２として示され、風呂追焚機能を実現する部分が風呂追焚回路１１４として示され、浴室暖房機能を実現する部分が浴室暖房回路２００として示される。注湯回路１１２は、給湯回路１１０内の出湯管から分岐して浴槽９０へ給湯するためにも利用される循環配管９２（図１参照）を有している。浴室暖房回路２００は、図２で説明したコントローラ２２、循環配管２４、熱動弁２０４、ファン２０６、風向板２０３および浴室温度センサ２１０に加えて、循環配管２４内で熱媒体を循環させるためのポンプ２０２を有している。ＣＰＵ１２０は、インターフェイス１２６を介して、給湯回路１１０、注湯回路１１２、風呂追焚回路１１４および浴室暖房回路２００の動作を制御する。
【００４４】
［給湯システムの動作］
次に、実施の形態に係る給湯システムの動作について説明する。以下の説明では、台所リモコン３０、浴室リモコン４０、サブリモコン５０、浴室暖房リモコン８０およびスマートフォン７５を「操作端末」と総称する場合がある。
【００４５】
（給湯運転）
まず、通常の給湯運転について説明する。給湯運転は、操作端末の運転ＳＷをオンした状態でユーザが給湯栓を開くと、給湯回路１１０内の流量が最低作動流量（ＭＯＱ）以上であることをコントローラ１２が検出することによって開始される。給湯運転が開始されると、コントローラ１２は給湯制御を開始する。具体的には、コントローラ１２は、給湯装置１０内のバーナの燃焼制御と、給湯回路１１０に設けられた分配弁による高温水および低温水の混合比率制御とによって、操作端末により設定された設定給湯温度に一致するように出湯温度を調整する。給湯栓が閉じられることにより給湯回路１１０内の流量がＭＯＱ未満になると、コントローラ１２は給湯運転を停止する。
【００４６】
（注湯運転）
次に、注湯運転について説明する。操作端末によって注湯運転が指示された場合（単なる注湯操作の他、風呂自動ＳＷがオン操作された場合も含む。）、コントローラ１２は、設定風呂温度で設定水位（または設定湯量）となるように浴槽９０の湯水を制御する注湯運転を開始する。特に、風呂自動ＳＷがオン操作された場合には、初期の湯張りのため、または、設定風呂温度および設定水位（または設定湯量）を保つために注湯運転（いわゆる風呂自動運転）が実行される。
【００４７】
注湯運転を開始すると、コントローラ１２は、注湯回路１１２に設けられた注湯電磁弁を開く。これにより、給湯回路１１０および注湯回路１１２内の流量がＭＯＱ以上となると、コントローラ１２は、給湯制御を開始して、バーナの燃焼制御および分配弁による混合比率制御を行なうことにより、浴槽９０内の湯水の温度が設定風呂温度となるように調整する。注湯運転は、注湯回路１１２に設けられた水位センサにより検知される浴槽９０の水位が設定水位となり、かつ、浴槽９０内の湯水の温度（風呂温度）が設定風呂温度となるまで継続して実行される。あるいは、注湯運転は、浴槽９０内の湯量が設定湯量となり、かつ、浴槽９０内の湯水の温度（風呂温度）が設定風呂温度となるまで継続して実行される。コントローラ１２は、浴槽９０の水位が設定水位となり（または、浴槽９０の湯量が設定湯量となり）注湯が完了すると、注湯電磁弁を閉じる。注湯完了後、風呂温度が設定風呂温度に達していなければ、コントローラ１２は、後述する風呂追焚運転を行ない、浴槽９０内の湯水を設定風呂温度まで沸き上げた後、注湯運転を停止する。
【００４８】
なお、風呂自動ＳＷがオン操作されたときに浴槽９０が設定水位（または設定湯量）である場合には、コントローラ１２は、注湯を行なわず、後述する風呂追焚運転を行ない、浴槽９０内の湯水を設定風呂温度まで沸き上げた後、注湯運転を停止する。
【００４９】
なお、注湯運転の完了後、風呂自動ＳＷがオン状態であれば、コントローラ１２は、浴槽９０内の温度を設定風呂温度に保つために間欠的に追焚制御を実行する風呂保温運転を、設定時間が経過するまで、または風呂自動ＳＷがオフされるまで実行する。
【００５０】
（風呂追焚運転）
次に、風呂追焚運転について説明する。風呂追焚運転は、注湯後の設定風呂温度までの自動沸上げ、浴槽９０の湯水を一定温度（設定風呂温度）に保温するための自動沸上げ、あるいは、操作端末における追焚ＳＷのオン操作に基づく沸上げなどにより開始される。風呂追焚運転では、コントローラは、風呂追焚回路１１４に設けられた循環ポンプを作動させることにより、浴槽９０の湯水を循環配管９２に循環させる。さらに、コントローラ１２は、バーナの燃焼制御によって循環配管９２内の湯水を所定温度に加熱して浴槽９０に再度供給する。
【００５１】
（浴室暖房運転）
次に、浴室暖房運転について説明する。操作端末の浴室暖房ＳＷがオン操作されると、コントローラ１２は浴室暖房運転を開始する。具体的には、コントローラ１２は、給湯装置１０のバーナによる、循環配管２４内の熱媒体の加熱を開始する。浴室暖房機２０では、コントローラ２２が熱動弁２０４を開くと、給湯装置１０のポンプ２０２の駆動によって循環配管２４内を熱媒体が循環する。これにより、加熱された熱媒体が熱交換器２０５に供給される。さらに、コントローラ２２は、ファン２０６を回転させる。これにより、浴室１００内に温風が供給される。
【００５２】
コントローラ２２は、浴室温度センサ２１０により検知される浴室温度を示す信号を、通信線２６を介してコントローラ１２へ送信する。コントローラ１２は、浴室温度センサ２１０により検知される浴室温度を監視し、浴室温度が上昇して設定暖房温度に達すると、浴室暖房が完了したと判定する。
【００５３】
なお、浴室暖房完了後、浴室暖房ＳＷがオン状態であれば、コントローラ２２は、設定時間が経過するまで、または浴室暖房ＳＷがオフされるまで、浴室温度を設定暖房温度に保つために浴室暖房運転を間欠的に実行する。具体的には、コントローラ２２は、浴室温度センサ２１０により検知される浴室温度と設定暖房温度との偏差に応じて、ファン２０６を間欠動作させる。
【００５４】
（同時運転）
注湯運転時に浴室暖房運転が指示されると、または、浴室暖房運転時に注湯運転が指示されると、給湯システムは、注湯および浴室暖房の同時運転を実行する。同様に、風呂追焚運転時に浴室暖房運転が指示されると、または、浴室暖房運転時に風呂追焚運転が指示されると、給湯システムは、風呂追焚および浴室暖房の同時運転を実行する。
【００５５】
（報知処理）
本実施の形態に係る給湯システムは、ユーザの快適な入浴をサポートするために、ユーザに対し、入浴に関する種々の案内を報知する報知手段を備えている。報知手段は、操作端末（台所リモコン３０、浴室リモコン４０、サブリモコン５０、浴室暖房リモコン８０およびスマートフォン７５の少なくとも１つ）の報知部（表示部および音声出力部）を介して案内を報知することができる。
【００５６】
入浴に関する案内の１つに、入浴準備が完了した旨の案内がある。報知手段は、入浴準備が完了した旨の案内として、注湯運転（風呂自動運転）の完了、風呂追焚の完了および浴室暖房の完了を報知するように構成される。本願明細書において、注湯運転が完了した旨の報知は、注湯運転の完了前に浴槽９０の湯水が入浴できる状態に近づいた旨を報知する予告報知を含むものとする。風呂追焚が完了した旨の報知は、風呂追焚完了前に浴槽９０の湯水が入浴できる状態に近づいた旨を報知する予告報知を含むものとする。
【００５７】
報知手段は、注湯運転時または風呂追焚運転時において予め設定された予告条件が成立すると、注湯運転完了または風呂追焚完了を予告報知する。本実施の形態では、報知手段は、たとえば、注湯運転完了予定時刻よりも第１の時間（数十秒〜数分程度）前の時刻になると、予告条件が成立したと判断して注湯運転完了を予告報知する。また、報知手段は、たとえば、風呂追焚完了予定時刻よりも第２の時間（数十秒〜数分程度）前の時刻になると、予告条件が成立したと判断して風呂追焚完了を予告報知する。なお、予告条件は、注湯運転または風呂追焚の完了予定時刻に基づいて設定された予告時刻に限定されず、設定水位に基づいて設定された浴槽９０の水位および／または設定風呂温度に基づいて設定された浴槽９０の湯水の温度（風呂温度）であってもよい。
【００５８】
このように予告報知を行なうことで、ユーザは、脱衣場に向かうなどの入浴のための行動をとることができるため、注湯または風呂追焚の完了後速やかに入浴することが可能となる。
【００５９】
さらに、報知手段は、入浴に関する別の案内として、注湯運転または風呂追焚運転が指示されたときに、浴室温度に応じて、ユーザに対して浴室暖房運転の実行要否を問い合わせる旨を報知するように構成される。冬場など浴室１００内が冷えている状況では、注湯運転または風呂追焚の完了後に浴室１００に入室したときに、ユーザが寒さを感じながら入浴することになる。そこで、報知手段は、注湯運転または風呂追焚運転が指示されたときの浴室温度が閾値温度よりも低いときには、浴室暖房運転の実行要否の問合せを報知することで、ユーザに対して浴室暖房運転の実行を勧めることができる。
【００６０】
この問合せに応答してユーザが操作端末の浴室暖房ＳＷをオン操作した場合、注湯または風呂追焚および浴室暖房の同時運転が実行されることになる。注湯および浴室暖房の同時運転時、または、風呂追焚および浴室暖房の同時運転時においても、報知手段は、注湯運転、風呂追焚および浴室暖房の完了に応じて、入浴準備が完了した旨を報知することができる。
【００６１】
このような同時運転時における入浴準備が完了した旨の報知について、たとえば特許文献１および２に開示される従来の給湯システムは、注湯運転が完了し、かつ、浴室暖房が完了した時点で入浴準備が完了した旨を報知するように構成される。これによると、報知がなされたときには浴室内が暖められているため、ユーザは寒さを感じることなく入浴することができる。
【００６２】
しかしながら、一方で、浴室１００および浴槽９０の容積、給湯装置１０の給湯能力、給水温度および設定風呂温度、ならびに、浴室暖房機２０の暖房能力、浴室温度および設定暖房温度などに起因して、注湯が完了するタイミングと、浴室暖房が完了するタイミングとの間には少なからず時間差が生じることがある。したがって、注湯運転が完了しても浴室暖房が完了していない場合、または、浴室暖房が完了しても注湯運転が完了していない場合が起こり得る。
【００６３】
従来の給湯システムによれば、注湯運転が完了しても浴室暖房が未だ完了していない場合には、入浴準備が完了した旨が報知されないため、注湯運転完了後速やかに入浴したいユーザにとっては利便性が損なわれることが懸念される。したがって、ユーザの利便性を保ちつつ、ユーザの快適な入浴をサポートするためには、より適切な報知が求められる。
【００６４】
以下、図４および図５を参照して、本実施の形態に係る給湯システムでの入浴準備の完了を案内する報知処理を説明する。
【００６５】
図４では、注湯および浴室暖房の同時運転時における報知処理について説明する。図４に示された報知処理は、たとえば、コントローラ１２のＣＰＵ１２０によって実行することができる。
【００６６】
図４を参照して、コントローラ１２は、ステップＳ０１により、操作端末において風呂自動ＳＷがオン操作されたか否かを判定する。たとえば、台所リモコン３０、浴室リモコン４０、サブリモコン５０およびスマートフォン７５のいずれかにおいて風呂自動ＳＷがオン操作されると、ステップＳ０１はＹＥＳ判定とされる。一方で、風呂自動ＳＷのオン操作がない場合には、ステップＳ０１はＮＯ判定とされ、以降の処理は起動されない。
【００６７】
コントローラ１２は、風呂自動ＳＷがオン操作されると（Ｓ０１にてＹＥＳ）、ステップＳ０２により、操作端末において浴室暖房ＳＷがオン状態か否かを判定する。たとえば、台所リモコン３０、浴室リモコン４０、サブリモコン５０、スマートフォン７５および浴室暖房リモコン８０のいずれかにおいて浴室暖房ＳＷがオン操作されると、ステップＳ０２はＹＥＳ判定とされる。一方で、浴室暖房ＳＷのオン操作がない場合には、ステップＳ０２はＮＯ判定とされる。
【００６８】
コントローラ１２は、浴室暖房ＳＷがオン操作されると（Ｓ０２にてＹＥＳ）、ステップＳ０３により注湯運転を開始するとともに、ステップＳ０４により浴室暖房運転を開始する。すなわち、コントローラ１２は、注湯および浴室暖房の同時運転を開始する。
【００６９】
注湯および浴室暖房の同時運転時、コントローラ１２は、ステップＳ０５により、予め設定された注湯運転完了の予告条件が成立したか否かを判定する。たとえば、注湯運転完了予定時刻よりも第１の時間前の時刻になると、ステップＳ０５はＹＥＳ判定とされる。一方で、注湯運転完了予定時刻よりも第１の時間前の時刻に満たない場合には、ステップＳ０５はＮＯ判定とされる。
【００７０】
コントローラ１２は、注湯完了の予告条件が成立すると（Ｓ０５にてＹＥＳ）、ステップＳ０６により、上述した報知手段によって、浴槽９０の湯水が入浴できる状態に近づいた旨を報知する予告報知を行なう。たとえば、報知手段は、操作端末が有する音声出力部を用いて、「もうすぐお風呂が沸きます」などのアナウンスを出力することができる。
【００７１】
さらに、コントローラ１２は、ステップＳ０７により、浴室暖房が完了したか否かを判定する。たとえば、浴室暖房機２０に内蔵される浴室温度センサ２１０により検知される浴室温度が所定の基準温度に達すると、ステップＳ０７はＹＥＳ判定とされる。一方で、浴室温度が当該基準温度よりも低い場合には、ステップＳ０７はＮＯ判定とされる。
【００７２】
コントローラ１２は、浴室暖房が完了したと判定されると（Ｓ０７にてＹＥＳ）、ステップＳ０８により、報知手段によって、浴室暖房が完了した旨を報知する。たとえば、報知手段は、操作端末が有する音声出力回路を用いて、「浴室が暖まりました」などのアナウンスを出力することができる。
【００７３】
コントローラ１２は、ステップＳ０９により、注湯運転が完了したか否かを判定する。たとえば、注湯回路１１２に設置された水位センサにより検知される浴槽９０の水位が設定水位に達し、かつ、温度センサにより検知される風呂温度が設定風呂温度に達している場合、ステップＳ０９はＹＥＳ判定とされる。一方で、浴槽９０の水位が設定水位に満たない場合および／または風呂温度が設定風呂温度に満たない場合、ステップＳ０９はＮＯ判定とされる。
【００７４】
コントローラ１２は、注湯運転が完了したと判定されると（Ｓ０９にてＹＥＳ）、ステップＳ１０により、報知手段によって、注湯運転が完了した旨を報知する。たとえば、報知手段は、操作端末が有する音声出力部を用いて、「お風呂が沸きました」などのアナウンスを出力することができる。
【００７５】
ステップＳ０７に戻って、コントローラ１２は、浴室暖房が完了していないと判定されると（Ｓ０７にてＮＯ）、ステップＳ１９により、注湯運転が完了したか否かを判定する。ステップＳ１９の判定は上述したステップＳ０９の判定と同じである。コントローラ１２は、注湯運転が完了したと判定されると（Ｓ１９にてＹＥＳ）、ステップＳ２０により、報知手段によって、注湯運転が完了した旨を報知する。ステップＳ２０の報知はステップＳ１０の報知と同じである。
【００７６】
続いてコントローラ１２は、ステップＳ２１により、浴室暖房が完了したか否かを判定する。ステップＳ２１の判定はステップＳ０７の判定と同じである。コントローラ１２は、浴室暖房が完了したと判定されると（Ｓ２１にてＹＥＳ）、ステップＳ２２により、報知手段によって、浴室暖房が完了した旨を報知する。ステップＳ２２の報知はステップＳ０８の報知と同じである。
【００７７】
ステップＳ０２に戻って、風呂自動ＳＷがオン操作された状態で浴室暖房ＳＷがオン操作されていない場合（Ｓ０２にてＮＯ）、コントローラ１２は、ステップＳ１１により、浴室温度が閾値温度（Ａ℃とする）よりも低いか否かを判定する。たとえば、浴室リモコン４０に内蔵される温度センサ４４により検知される浴室温度がＡ℃未満であれば、ステップＳ１１はＹＥＳ判定とされる。一方で、浴室温度がＡ℃以上であれば、ステップＳ１１はＮＯ判定とされる。なお、ステップＳ１１の判定には、浴室暖房機２０内の浴室温度センサ２１０により検知される浴室温度よりも、浴室リモコン４０内の温度センサ４４により検知される浴室温度を用いることが好ましい。これは、温度センサ４４により検知される浴室温度の方が、浴室暖房前の浴室温度をより忠実に表していることによる。温度センサ２１０は、浴室暖房機２０の筐体内に熱交換器２０５および循環配管２４と一体的に収納されるため、たとえば循環配管２４の凍結予防運転が実行されていると、熱交換器２０５および循環配管２４からの放熱の影響を受けて、正確な浴室温度を検知できない場合が生じてしまう。一方、浴室リモコン４０内には放熱要素が少ないため、浴室温度をより正確に検知することができる。
【００７８】
コントローラ１２は、浴室温度がＡ℃未満である場合（Ｓ１１にてＹＥＳ）、ステップＳ１２により、報知手段によって、浴室暖房運転の要否を問い合わせる旨を報知する。たとえば、報知手段は、操作端末が有する音声出力部を用いて、「浴室が冷えています。浴室暖房を実行しますか」などのアナウンスを出力することができる。
【００７９】
コントローラ１２は、ステップＳ１３により、ステップＳ１２における問合せに応答して、操作端末において浴室暖房ＳＷがオン操作されたか否かを判定する。ステップＳ１３の判定はステップＳ０２の判定と同じである。
【００８０】
コントローラ１２は、浴室暖房ＳＷがオン操作されると（Ｓ１３にてＹＥＳ）、ステップＳ０３以降の処理を実行する。すなわち、コントローラ１２は、注湯および浴室暖房の同時運転を実行するとともに、報知手段によって注湯運転が完了した旨（注湯運転完了の予告報知を含む）および浴室暖房が完了した旨を報知する。
【００８１】
これに対して、ステップＳ１２における問合せに応答して、操作端末において浴室暖房ＳＷがオン操作されなかった場合（Ｓ１３にてＮＯ）には、コントローラ１２は、ステップＳ１４により、注湯運転を開始する。この場合、コントローラ１２は、注湯運転のみを実行することになる。
【００８２】
注湯運転時、コントローラ１２は、ステップＳ１５により、予め設定された注湯運転完了の予告条件が成立したか否かを判定する。ステップＳ１５の判定はステップＳ０５の判定と同じである。
【００８３】
コントローラ１２は、注湯運転完了の予告条件が成立すると（Ｓ１５にてＹＥＳ）、ステップＳ１６により、上述した報知手段によって、浴槽９０の湯水が入浴できる状態に近づいた旨を報知する予告報知を行なう。ステップＳ１６の報知はステップＳ０６の報知と同じである。
【００８４】
続いて、コントローラ１２は、ステップＳ１７により、注湯運転が完了したか否かを判定する。ステップＳ１７の判定はステップＳ０９の判定と同じである。コントローラ１２は、注湯運転が完了したと判定されると（Ｓ１７にてＹＥＳ）、ステップＳ１８により、報知手段によって、注湯運転が完了した旨を報知する。ステップＳ１８の報知はステップＳ１０の報知と同じである。
【００８５】
以上説明したように、本実施の形態に係る給湯システムによれば、注湯および浴室暖房の同時運転時には、注湯が浴室暖房よりも先に完了した場合には、浴室暖房の完了を待つことなく注湯運転が完了した旨が報知される。これにより、注湯運転完了後速やかに入浴したいユーザの利便性を向上させることができる。
【００８６】
また、本実施の形態に係る給湯システムによれば、浴室暖房が注湯よりも先に完了した場合には、注湯運転の完了を待って浴室暖房が完了した旨が報知される。これによると、注湯運転が完了しないうちは浴室暖房が完了した旨も報知されないため、すなわち入浴準備の完了について何ら報知されないため、未だ注湯運転が完了していない状態の浴室にユーザが入ることを防ぐことができる。
【００８７】
この結果、本実施の形態に係る給湯システムは、ユーザの利便性を保ちつつ、ユーザの快適な入浴をサポートすることが可能となる。
【００８８】
なお、図４のステップＳ０６，Ｓ１０，Ｓ１２，Ｓ１６，Ｓ１８，Ｓ２０，Ｓ２２の各々における報知は、操作端末の音声出力部を用いた音声案内の他、メロディの吹聴または、音声案内およびメロディの吹聴の組み合わせによって行なうことができる。あるいは、報知は、操作端末の表示部にその旨の文字などを含む案内を表示することによっても行なうことができる。
【００８９】
図５では、風呂追焚および浴室暖房の同時運転時における報知処理について説明する。図５に示された報知処理は、たとえば、コントローラ１２のＣＰＵ１２０によって実行することができる。
【００９０】
図５を参照して、コントローラ１２は、ステップＳ３１により、操作端末において追焚ＳＷがオン操作されたか否かを判定する。たとえば、台所リモコン３０、浴室リモコン４０、サブリモコン５０およびスマートフォン７５のいずれかにおいて追焚ＳＷがオン操作されると、ステップＳ３１はＹＥＳ判定とされる。一方で、追焚ＳＷのオン操作がない場合には、ステップＳ３１はＮＯ判定とされ、以降の処理は起動されない。
【００９１】
コントローラ１２は、追焚ＳＷがオン操作されると（Ｓ３１にてＹＥＳ）、ステップＳ３２により、操作端末において浴室暖房ＳＷがオン状態か否かを判定する。ステップＳ３２の判定は図４のステップＳ０２の判定と同じである。
【００９２】
コントローラ１２は、浴室暖房ＳＷがオン操作されると（Ｓ３２にてＹＥＳ）、ステップＳ３３により風呂追焚運転を開始するとともに、ステップＳ３４により浴室暖房運転を開始する。すなわち、コントローラ１２は、風呂追焚および浴室暖房の同時運転を開始する。
【００９３】
風呂追焚および浴室暖房の同時運転時、コントローラ１２は、ステップＳ３５により、予め設定された風呂追焚完了の予告条件が成立したか否かを判定する。たとえば、風呂追焚完了予定時刻よりも第２の時間前の時刻になると、ステップＳ３５はＹＥＳ判定とされる。一方で、風呂追焚完了予定時刻よりも第２の時間前の時刻に満たない場合には、ステップＳ３５はＮＯ判定とされる。
【００９４】
コントローラ１２は、風呂追焚完了の予告条件が成立すると（Ｓ３５にてＹＥＳ）、ステップＳ３６により、上述した報知手段によって、浴槽９０の湯水が入浴できる状態に近づいた旨を報知する予告報知を行なう。たとえば、報知手段は、操作端末が有する音声出力回路を用いて、「もうすぐお風呂が沸きます」などのアナウンスを出力することができる。
【００９５】
さらに、コントローラ１２は、ステップＳ３７により、浴室暖房が完了したか否かを判定する。ステップＳ３７の判定はステップＳ０７の判定と同じである。コントローラ１２は、浴室暖房が完了したと判定されると（Ｓ３７にてＹＥＳ）、ステップＳ３８により、報知手段によって、浴室暖房が完了した旨を報知する。ステップＳ３８の報知はステップＳ０８の報知と同じである。
【００９６】
コントローラ１２は、ステップＳ３９により、風呂追焚が完了したか否かを判定する。たとえば、風呂追焚回路に設置された温度センサにより検知される風呂温度が設定風呂温度に達している場合、ステップＳ３９はＹＥＳ判定とされる。一方で、風呂温度が設定風呂温度に満たない場合、ステップＳ３９はＮＯ判定とされる。
【００９７】
コントローラ１２は、風呂追焚が完了したと判定されると（Ｓ３９にてＹＥＳ）、ステップＳ４０により、報知手段によって、風呂追焚が完了した旨を報知する。たとえば、報知手段は、操作端末が有する音声出力回路を用いて、「お風呂が沸きました」などのアナウンスを出力することができる。
【００９８】
ステップＳ３７に戻って、コントローラ１２は、浴室暖房が完了していないと判定されると（Ｓ３７にてＮＯ）、ステップＳ４９により、風呂追焚が完了したか否かを判定する。ステップＳ４９の判定は上述したステップＳ３９の判定と同じである。コントローラ１２は、風呂追焚が完了したと判定されると（Ｓ４９にてＹＥＳ）、ステップＳ５０により、報知手段によって、風呂追焚が完了した旨を報知する。ステップＳ５０の報知はステップＳ４０の報知と同じである。
【００９９】
続いてコントローラ１２は、ステップＳ５１により、浴室暖房が完了したか否かを判定する。ステップＳ５１の判定はステップＳ３７の判定と同じである。コントローラ１２は、浴室暖房が完了したと判定されると（Ｓ５１にてＹＥＳ）、ステップＳ５２により、報知手段によって、浴室暖房が完了した旨を報知する。ステップＳ５２の報知はステップＳ３８の報知と同じである。
【０１００】
ステップＳ３２に戻って、追焚ＳＷがオン操作された状態で浴室暖房ＳＷがオン操作されていない場合（Ｓ３２にてＮＯ）、コントローラ１２は、ステップＳ４１により、浴室温度が閾値温度（Ａ℃とする）よりも低いか否かを判定する。ステップＳ４１の判定は図４のステップＳ１１の判定と同じである。
【０１０１】
コントローラ１２は、浴室温度がＡ℃未満である場合（Ｓ４１にてＹＥＳ）、ステップＳ４２により、報知手段によって、浴室暖房運転の要否を問い合わせる旨を報知する。ステップＳ４２の報知は図４のステップＳ１２の報知と同じである。
【０１０２】
コントローラ１２は、ステップＳ４３により、ステップＳ４２における問合せに応答して、操作端末において浴室暖房ＳＷがオン操作されたか否かを判定する。ステップＳ４３の判定はステップＳ３２の判定と同じである。
【０１０３】
コントローラ１２は、浴室暖房ＳＷがオン操作されると（Ｓ４３にてＹＥＳ）、ステップＳ３３以降の処理を実行する。すなわち、コントローラ１２は、風呂追焚および浴室暖房の同時運転を実行するとともに、報知手段によって風呂追焚が完了した旨（風呂追焚完了の予告報知を含む）および浴室暖房が完了した旨を報知する。
【０１０４】
これに対して、ステップＳ４２における問合せに応答して、操作端末において浴室暖房ＳＷがオン操作されなかった場合（Ｓ４３にてＮＯ）には、コントローラ１２は、ステップＳ４４により、風呂追焚運転を開始する。この場合、コントローラ１２は、風呂追焚運転のみを実行することになる。
【０１０５】
風呂追焚運転時、コントローラ１２は、ステップＳ４５により、予め設定された風呂追焚完了の予告条件が成立したか否かを判定する。ステップＳ４５の判定はステップＳ３５の判定と同じである。
【０１０６】
コントローラ１２は、風呂追焚完了の予告条件が成立すると（Ｓ４５にてＹＥＳ）、ステップＳ４６により、上述した報知手段によって、浴槽９０の湯水が入浴できる状態に近づいた旨を報知する予告報知を行なう。ステップＳ４６の報知はステップＳ３６の報知と同じである。
【０１０７】
続いて、コントローラ１２は、ステップＳ４７により、風呂追焚が完了したか否かを判定する。ステップＳ４７の判定はステップＳ３９の判定と同じである。コントローラ１２は、風呂追焚が完了したと判定されると（Ｓ４７にてＹＥＳ）、ステップＳ４８により、報知手段によって、風呂追焚が完了した旨を報知する。ステップＳ４８の報知はステップＳ４０の報知と同じである。
【０１０８】
以上説明したように、本実施の形態に係る給湯システムは、風呂追焚および浴室暖房の同時運転時には、風呂追焚が浴室暖房よりも先に完了した場合には、浴室暖房の完了を待つことなく風呂追焚が完了した旨が報知される。これにより、風呂追焚完了後速やかに入浴したいユーザの利便性を向上させることができる。
【０１０９】
また、本実施の形態に係る給湯システムによれば、浴室暖房が風呂追焚よりも先に完了した場合には、風呂追焚の完了を待って浴室暖房が完了した旨が報知される。これによると、風呂追焚が完了しないうちは浴室暖房が完了した旨も報知されないため、すなわち入浴準備の完了について何ら報知されないため、未だ風呂追焚が完了していない状態の浴室にユーザが入ることを防ぐことができる。
【０１１０】
この結果、本実施の形態に係る給湯システムは、ユーザの利便性を保ちつつ、ユーザの快適な入浴をサポートすることが可能となる。
【０１１１】
なお、図５のステップＳ３６，Ｓ４０，Ｓ４２，Ｓ４６，Ｓ４８，Ｓ５０，Ｓ５２の各々における報知は、操作端末の音声出力回路を用いた音声案内の他、メロディの吹聴または、音声案内およびメロディの吹聴の組み合わせによって行なうことができる。あるいは、報知は、操作端末の表示部にその旨の文字などを含む案内を表示することによっても行なうことができる。
【０１１２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１３】
１０  給湯装置、１２，２２  コントローラ、２０  浴室暖房機、２１  吹き出し口、２４，９２  循環配管、２６，３２，４２，５２，８２  通信線、３０  台所リモコン、４０  浴室リモコン、４４  温度センサ、５０  サブリモコン、６０  通信アダプタ、７０  無線ＬＡＮルータ、７５  スマートフォン、８０  浴室暖房リモコン、９０  浴槽、１００  浴室、１１０  給湯回路、１１２  注湯回路、１１４  風呂追焚回路、１２２  メモリ、１２４  タイマ、１２６  インターフェイス、１２８  入力装置、１３０  出力装置、２００  浴室暖房回路、２０２  ポンプ、２０３  風向板、２０４  熱動弁、２０６  ファン、２１０  浴室温度センサ。
【図１】
2020176813.tif 000003
【図２】
2020176813.tif 000004
【図３】
2020176813.tif 000005
【図４】
2020176813.tif 000006
【図５】
2020176813.tif 000007